(57)【要約】【解決手段】  本発明は、補強部（３）、ピボット軸（４）及び片（５）を有する風防ガラスのワイパブレード（１）をワイパアーム（２）に固定する装置に関する。ワイパブレード（１）は、前記ワイパアーム（２）を旋回取り付けする横方向を向くピボット軸（４）を備え、前記ワイパアーム（２）は端部を備えている。本発明によれば、固定装置は、前記ワイパブレード（１）に取り付けられ、前記ワイパアーム（２）が長手方向に取り付けられる独立したアダプタ（６）を備えている。
2005537978.tif 000002
【特許請求の範囲】
【請求項１】
補強部（３）、ピボット軸（４）及び片（５）を有する風防ガラス用のワイパブレード（１）をワイパアーム（２）に固定する装置であって、前記ワイパブレード（１）は、前記ワイパアーム（２）を旋回可能に取り付けするための横方向を向くピボット軸（４）を備え、かつ前記ワイパアーム（２）は端部を有している装置において、
前記ワイパブレード（１）に取り付けられている前記ワイパアーム（２）が、長手方向に取り付けられる独立したアダプタ（６）を備えていることを特徴とする装置。
【請求項２】
前記アダプタ（６）の断面はＵ状であり、各フランジ（６Ａ）（６Ｂ）は、前記ピボット軸（４）をスナップ留めするための孔を有し、端部は開口している入口端部（６Ｃ）となっており、かつ前記アダプタ（６）は、前記ワイパアーム（２）を横方向及び長手方向に対してロックする手段を備えていることを特徴とする、請求項１記載の装置。
【請求項３】
長手方向に対するロック手段は、ワイパアーム（２）が取り付けられた時に、ワイパアーム（２）に形成された空隙部（１０）に取り付けられるほぞ（９）を有する連接部からなっていることを特徴とする、請求項２記載の装置。
【請求項４】
ロック手段は、少なくとも１つの可撓性タング（８）によりアダプタ（６）に連接され、前記ほぞ（９）を保持し、アダプタ（６）の入口端部（６Ｃ）においてウェブ（６Ｄ）とともにワイパアーム（２）の位置決め通路を形成する横材（７）からなっていることを特徴とする、請求項３記載の装置。
【請求項５】
長手方向に対するロック手段は、ワイパアーム（２）が取り付けられると、ワイパアーム（２）の係止部（１２）が係止するようになっている、アダプタ（６）に設けられたハウジング（１１）からなっていることを特徴とする、請求項２〜４のいずれかに記載の装置。
【請求項６】
前記ハウジング（１１）を、入口端部（６Ｃ）と対向する端部に近接して、アダプタ（６）のウェブ（６Ｄ）と隣接して設け、前記係止部（１２）を、ワイパアーム（２）の端部に設けたことを特徴とする、請求項５記載の装置。
【請求項７】
前記ハウジング（１１）を、スナップ取り付けされたリブ（１４）によりアダプタ（６）の内面に形成し、前記係止部（１２）は、ワイパアーム（２）の端部に取り付けられた留め具となっていることを特徴とする、請求項６記載の装置。
【請求項８】
アダプタ（６）は、ワイパアーム（２）を横方向に対してロックするための少なくとも１つの固定された横材（１３）を備えていることを特徴とする、請求項２〜７のいずれかに記載の装置。
【請求項９】
アダプタ（６）のウェブ（６Ｄ）に、ワイパアーム（２）が取り付けられると、ワイパアーム（２）の通路となる長手方向の開口部（１５）を設けたことを特徴とする、請求項２〜８のいずれかに記載の装置。
【発明の詳細な説明】
【技術分野】
【０００１】
本発明は、風防ガラス用のワイパブレードをワイパアームに固定する装置に関する。
【０００２】
より詳しく言うと、本発明は、風防ガラス用のワイパブレードをワイパアームに固定する装置であって、ワイパブレードは、ワイパアームに枢支する横方向を向くピボット軸を備えているものに関する。
【背景技術】
【０００３】
従来、上述したようなワイパブレードは、薄鋼板により形成され、端部がＵ状となっているヨーク型のワイパアームに取り付けられる。
【０００４】
従来の実施例では、独立した片であるアダプタがワイパブレードに取り付けられ、アダプタのフランジには、軸をスナップ留めするための対向する孔が形成されている。Ｕ状のワイパアームの端部は、アダプタに取り付けられてロックされ、その開口部は、ワイパブレードの方向を向いている。
【発明の開示】
【発明が解決しようとする課題】
【０００５】
しかし、ヨーク型のワイパアームは複雑であり、製造コストが高い。
【課題を解決するための手段】
【０００６】
上述した問題を解決し、端部を有する簡単な構成のワイパアームを取り付けることができるようにするために、本発明は、風防ガラスのワイパブレードをワイパアームに固定する装置を提案するものであり、ワイパブレードは、ワイパアームを旋回取り付けする横方向を向くピボット軸を備え、ワイパアームは端部を備えている装置において、ワイパブレードに取り付けられているワイパアームが、長手方向に取り付けられる独立したアダプタを備えていることを特徴としている。
【０００７】
好ましい実施例によれば、アダプタの断面はＵ状であり、各フランジは、ピボット軸をスナップ留めするための孔を有し、端部は開口して入口端部となっており、かつアダプタは、ワイパアームを横方向及び長手方向に対してロックする手段を備えている。
【０００８】
長手方向に対するロック手段は、ワイパアームが取り付けられた時に、ワイパアームに形成された空隙部に取り付けられるほぞを有する連接部からなっているのが好ましい。
【０００９】
この場合、ロック手段は、少なくとも１つの可撓性タングによりアダプタに連接され、ほぞを保持し、アダプタの入口端部において、ウェブとともにワイパアームの位置決め通路を形成する横材からなっているのが好ましい。
【００１０】
長手方向に対する他のロック手段は、ワイパアームを取り付けると、ワイパアームの係止部が係止するようにして、アダプタに設けられたハウジングからなっているのが好ましい。
【００１１】
この場合、前記ハウジングは、入口端部と対向する端部に近接して、アダプタのウェブと隣接して設けられ、前記係止部は、ワイパアームの端部に設けられているのが好ましい。
【００１２】
ハウジングは、スナップ取り付けされたリブにより、アダプタの内面に形成され、係止部は、ワイパアームの端部に取り付けられた留め具となっている。
【００１３】
また、アダプタは、ワイパアームを横方向に対してロックするための少なくとも１つの固定された横材を備えている。
【００１４】
アダプタのウェブに、ワイパアームの取り付けの際、ワイパアームの通路となる長手方向の開口部を設けるのが好ましい。
【００１５】
次に、本発明の詳細を、図面に示す一実施例に基づいて説明する。
【発明を実施するための最良の形態】
【００１６】
図１〜図３は、本発明による固定装置を示している。ワイパアーム（２）は、補強部（３）、ピボット軸（４）及び片（５）を有するワイパブレード（１）に取り付けられている。ワイパブレード（１）は、回転駆動系に公知の要領で連結されるワイパアーム（２）により、自動車の窓面を移動可能となっている。ワイパブレード（１）は、公知のタイプのものであり、補強部（３）を有するワイパブレード（１）と一体化された片（５）に固定された横方向を向くピボット軸（４）を備えている。
【００１７】
このワイパブレード（１）には、ヨークを有するワイパアームが固定される、独立した片であるアダプタが、公知の要領で嵌合される。
【００１８】
本発明によると、アダプタ（６）に固定するために、ワイパアームの端部をロッドとして取り付けることができる。
【００１９】
そのため、プラスチック製のアダプタ（６）の断面はＵ状となっている。アダプタ（６）の各フランジ（６Ａ）（６Ｂ）は、ピボット軸（４）をスナップ留めする孔を有し、入口端部（６Ｃ）は開口している。入口端部（６Ｃ）には、ワイパアーム（２）の端部が嵌入されるようになっている。
【００２０】
また、アダプタ（６）は、取り付けられたワイパアーム（２）を、横方向及び長手方向に対してロックする手段を備えている。
【００２１】
長手方向に対する第１のロック手段は、少なくとも１つの可撓性タング（８）によりアダプタ（６）に連接され、ほぞ（９）を保持する横材（７）である連接部からなっている。
【００２２】
以下により詳しく示すように、ワイパアーム（２）を取り付けると、ほぞ（９）は、ワイパアーム（２）に形成された空隙部（１０）内に取り付けられる。横材（７）及びアダプタ（６）のウェブ（６Ｄ）は、入口端部（６Ｃ）において、ワイパアーム（２）を位置決めする通路をなしている。
【００２３】
長手方向に対する第２のロック手段は、アダプタ（６）のウェブ（６Ｄ）の内面に設けられたハウジング（１１）からなり、ワイパアーム（２）を取り付けると、ワイパアーム（２）の係止部（１２）はハウジング（１１）内に係止される。
【００２４】
ハウジング（１１）は、入口端部（６Ｃ）とは反対側の端部に近接して設けられ、係止部（１２）は、ワイパアーム（２）の端部に設けられている。ハウジング（１１）は、スナップ取り付けされたリブ（１４）により形成され、係止部（１２）は、ワイパアーム（２）の端部に取り付けられた留め具となっている。
【００２５】
また、アダプタ（６）は、ワイパアーム（２）を横方向に対してロックする少なくとも１つの横材（１３）を備えている。横材（１３）は、ピボット軸（４）を支持する片（５）の寸法を考慮して、アダプタ（６）の両端部間の自由位置に設けられている。
【００２６】
アダプタ（６）のウェブ（６）には、長手方向の開口部（１５）が設けられており、アダプタ（６）が取り付けられると、図４〜図６を参照して以下に説明するように、ワイパアーム（２）を取り付けるための位置決め通路が形成される。
【００２７】
アダプタ（６）は、ピボット軸（４）に取り付けた後に、ワイパアーム（２）に取り付けられる。そのようにするために、図４に示すように、横材（７）及びアダプタ（６）のウェブ（６Ｄ）により形成された位置決め通路は、可撓性タング（８）が弾性的に変形することにより、横材（７）が下方へ移動して開かれる。この動作を補助するために、横材（７）の側部には、把持リブ（７Ａ）が設けられている。
【００２８】
把持リブ（７Ａ）の端部は、上方へ傾斜しており（図面を参照されたい）、ワイパアーム（２）の端部は、ある長さにわたって位置決め通路に挿入され、長手方向の開口部（１５）を通過する。従って、ワイパアーム（２）を、固定された横材（１３）の上方へ、簡単に滑らせることができる。ワイパアーム（２）の端部が、入口端部（６Ｃ）と対向する開口部（１５）の端へ接近すると、図５に示すように、ワイパアーム（２）は、アダプタ（６）の内側へ向かって折り曲げられる。
【００２９】
アダプタ（６）のハウジング（１１）に係止部（１２）をスナップ留めするためには、図６に示すように、ワイパアーム（２）を長手方向へ押し込むだけで十分である。
【００３０】
ワイパアーム（２）及びアダプタ（６）は、空力的、美観的、及び寸法的な理由により、スリップインされたワイパアーム（２）がアダプタ（６）の長手方向の開口部（１５）と水平であるウェブ（６Ｄ）の外面と水平となるように構成されている。このため、ワイパアーム（２）は、直線的ではなく、アダプタ（６）のウェブ（６Ｄ）の下方に収容されるために、端部が傾斜している。また、アダプタ（６）の入口端部（６Ｃ）付近は高くされ、入口端部（６Ｃ）と長手方向の開口部（１５）との間でブリッジ（６Ｅ）となっている。
【図面の簡単な説明】
【００３１】
【図１】本発明による固定装置の斜視図である。
【図２】本発明による固定装置の部分断面斜視図である。
【図３】本発明による固定装置の長手方向部分断面図である。
【図４】アームの取り付け方法を示す図である。
【図５】アームの取り付け方法を示す図である。
【図６】アームの取り付け方法を示す図である。
【符号の説明】
【００３２】
１          ワイパブレード
２          ワイパアーム
３          補強部
４          ピボット軸
５          片
６          アダプタ
６Ａ、６Ｂ  フランジ
６Ｃ        入口端部
６Ｄ        ウェブ
６Ｅ        ブリッジ
７          横材
７Ａ        把持リブ
８          可撓性タング
９          ほぞ
１０        空隙部
１１        ハウジング
１２        係止部
１３        横材
１４        リブ
１５        開口部
【図１】
2005537978.tif 000003
【図２】
2005537978.tif 000004
【図３】
2005537978.tif 000005
【図４】
2005537978.tif 000006
【図５】
2005537978.tif 000007
【図６】
2005537978.tif 000008
【国際調査報告】
2005537978.tif 000009
2005537978.tif 000010
2005537978.tif 000011
2005537978.tif 000012